(57)【要約】【課題】植物の茎から茎支持部に紐挟持部が開く方向に荷重が加わった場合に、紐挟持部が開くことを確実に防止できる植物茎誘引用結束具を提供する。【解決手段】植物茎誘引用結束具１は、一端に植物茎を支持する茎支持部２、他端に操作部３、茎支持部２と操作部３との間に設けられた回動部４、茎支持部２と回動部４との間に設けられ、吊り紐を挟持する紐挟持部５を有する一対の挟持片６（第一挟持片８、第二挟持片９）と、茎支持部２同士を当接させる方向に付勢するバネ部材７とを備え、第一挟持片８及び第二挟持片９の紐挟持部５のおもて面に、巻付け部２０，３０がそれぞれ設けられ、紐挟持部５で吊り紐が挟持された後、吊り紐が巻付け部２０，３０に巻き付けられることで、植物茎から茎支持部２に力が加わった際、第一挟持片８の紐挟持部５と第二挟持片９の紐挟持部５とが開く方向への動作が規制される構成をとる。【選択図】図１
2019041744.tif 000002
【特許請求の範囲】
【請求項１】
一端に植物茎を支持する半円弧状の茎支持部を有し、他端に操作部を有し、前記茎支持部と前記操作部との間に回動部を有し、前記茎支持部と前記回動部との間に紐挟持部を有する一対の挟持片と、前記茎支持部同士を当接させる方向に付勢するバネ部材と、を備える植物茎誘引用結束具において、
一方及び他方の前記挟持片の前記紐挟持部に、巻付け部がそれぞれ設けられ、
前記紐挟持部によって吊り紐が挟持された後、前記吊り紐が前記巻付け部に巻き付けられることで、
前記植物茎から前記茎支持部に荷重が加わった際、前記一方の挟持片の前記紐挟持部と前記他方の挟持片の前記紐挟持部とが開く方向への動作が規制される、
ことを特徴とする植物茎誘引用結束具。
【請求項２】
前記巻付け部よりも前記操作部側に紐誘導部が設けられ、
前記吊り紐が前記巻付け部に巻き付けられた後、前記吊り紐が前記紐誘導部に当接される、
ことを特徴とする請求項１に記載の植物茎誘引用結束具。
【請求項３】
前記紐誘導部は、前記一方の挟持片の前記回動部に設けられている、
ことを特徴とする請求項２に記載の植物茎誘引用結束具。
【請求項４】
前記巻付け部は、前記茎支持部同士が当接された状態で、隣接する、
ことを特徴とする請求項１から請求項３の何れか１項に記載の植物茎誘引用結束具。
【請求項５】
前記巻付け部には、前記吊り紐が巻き付けられる溝部が形成されている、
ことを特徴とする請求項１から請求項４の何れか１項に記載の植物茎誘引用結束具。
【発明の詳細な説明】
【技術分野】
【０００１】  本発明は、植物の茎が伸びる方向に植物の茎を誘引する植物茎誘引用結束具に関するものである。
【背景技術】
【０００２】  一般に、キュウリ、トマトなどの植物の苗の茎は、成長するにつれ、上方向に伸び、茎が太くなる。成長に伴い植物の重量が増加すると、自重により茎が折れ曲がり、所望の方向に生育できなくなる場合がある。
植物の茎を所望の方向に誘引する器具として、プラスチック製の植物茎誘引用結束具が使用されている（例えば、特許文献１）。この植物茎誘引用結束具は、垂直又は水平方向に張られた紐に留められ、植物の茎の伸びる方向を誘引する。【０００３】  特許文献１の植物茎誘引用結束具は、一端側を開閉できるように中間部で互いに回転自在に枢支される第一挟持片及び第二挟持片と、これらの挟持片の一端間を閉じる方向に付勢するバネ部材とを具備している。そして、第一挟持片及び第二挟持片は、植物の茎周りを囲んで拘束する円弧状の茎支持部と、これらの茎支持部間を開閉操作する操作部（摘み部）と、茎支持部と操作部の間に設けられた回動部（枢支部）と、この回動部と茎支持部との間に設けられ、吊り紐を挟持する紐挟持部（紐止め部）とを具備している。【０００４】  この植物茎誘引用結束具では、第一挟持片が植物の茎周りの半周を超える外周を囲む円弧状に形成され、第二挟持片が茎周りの半周に満たない外周を囲む円弧状に形成され、これらの挟持片の操作部の少なくとも一方に、操作部に巻き付けられた吊り紐を係止する係止爪が形成されている。
この植物茎誘引用結束具において、第二挟持片を茎周りの半周に満たない外周を囲む円弧状に形成し、第二挟持片の先端に第一挟持片の先端が付き合わされるように第一挟持片を円弧状とすることで、両茎支持部の開き角の中心線から外れた位置で先端が突き合わされる。そうすると、植物の茎は第一挟持片の茎支持部によって支持され、茎支持部の先端に茎からの荷重が加わらない。そのため、茎支持部の先端部間を開く方向に荷重がかかりにくく、植物茎誘引用結束具によって、植物の茎を支持することができる。
さらに、この植物茎誘引用結束具では、吊り紐を操作部に設けられた係止爪に巻き付けて、係止する。吊り紐が係止爪に係止されることで、茎からの荷重により、紐挟持部同士が開いた場合でも、植物茎誘引用結束具が吊り紐からずり落ちることを防止できる。
【先行技術文献】
【特許文献】
【０００５】
【特許文献１】特開２０１４−２２３０２２号公報
【発明の概要】
【発明が解決しようとする課題】
【０００６】  特許文献１の植物茎誘引用結束具は、第一挟持片と、第一挟持片と形状が異なる第二挟持片を組み合わせることで、植物の茎から紐挟持部が開く方向に荷重が加わったときに、茎支持部が開く方向への動作が規制され、吊り紐からずり落ちることを回避する。さらに、吊り紐を係止する係止爪を第一挟持片の操作部に形成している。そのため、各挟持片の設計や係止爪を形成する位置の設計に手間がかかる。
また、特許文献１の植物茎誘引用結束具は、紐挟持部同士（茎支持部同士）が開く方向への動作を確実に防止できる構成とはなっておらず、支える植物の重量によっては、紐挟持部同士が開く方向への動作が生じるおそれがある。そうすると、植物茎誘引用結束具が吊り紐からずり落ちてしまい、植物を所望の方向に生育できなくなるおそれが生じる。【０００７】  そこで、本発明は、植物の茎から茎支持部に紐挟持部が開く方向に荷重が加わった場合でも、紐挟持部が開くことを確実に防止できる植物茎誘引用結束具を提供することを目的とする。
【課題を解決するための手段】
【０００８】  本発明の植物茎誘引用結束具は、一端に植物茎を支持する半円弧状の茎支持部を有し、他端に操作部を有し、茎支持部と操作部との間に回動部を有し、茎支持部と回動部との間に紐挟持部を有する一対の挟持片と、茎支持部同士を当接させる方向に付勢するバネ部材とを備え、一方及び他方の挟持片の紐挟持部に巻付け部がそれぞれ設けられ、紐挟持部によって吊り紐が挟持された後、吊り紐が巻付け部に巻き付けられることで、植物茎から茎支持部に荷重が加わった際、一方の挟持片の紐挟持部と他方の挟持片の紐挟持部とが開く方向への動作が規制されることを特徴とする。【０００９】  本発明の植物茎誘引用結束具は、巻付け部よりも操作部側に紐誘導部が設けられ、吊り紐が巻付け部に巻き付けられた後、吊り紐が紐誘導部に係止されることを特徴とする。【００１０】  本発明の植物茎誘引用結束具は、紐誘導部が一方の挟持片の回動部に設けられていることを特徴とする。【００１１】  本発明の植物茎誘引用結束具は、巻付け部が、茎支持部同士が当接された状態で、隣接することを特徴とする。【００１２】  本発明の植物茎誘引用結束具は、巻付け部に吊り紐が巻き付けられる溝部が形成されていることを特徴とする。
【発明の効果】
【００１３】  本発明の植物茎誘引用結束具は、一方及び他方の挟持片の紐挟持部に巻付け部を有し、紐挟持部によって吊り紐が挟持された後、吊り紐が巻付け部に巻き付けられる。植物茎から茎支持部に力が加わると、吊り紐には、茎支持部側に向けて引張り力が働く。そうすると、巻付け部に巻き付けられた吊り紐にも引張り力が働き、吊り紐は、巻付け部をより強く締め付ける。
そのため、一方の挟持片の紐挟持部と他方の挟持片の紐挟持部とが開く方向への動作が規制され、回動部同士が開く方向に力が加わった場合でも、紐挟持部間が開く方向に動作することを確実に防止できる。したがって、植物茎誘引用結束具が吊り紐からずり落ちることを確実に防止でき、植物茎誘引用結束具を吊り紐所定の位置に安定して固定することができる。【００１４】  本発明の植物茎誘引用結束具は、巻付け部よりも操作部側に紐誘導部が設けられ、吊り紐は、巻付け部に巻き付けられた後、紐誘導部に当接される。吊り紐が紐誘導部に当接されることで、植物茎誘引用結束具のバランスがとれ、植物茎誘引用結束具を所望の向きに吊り下げることができる。
【図面の簡単な説明】
【００１５】
【図１】  本発明の実施形態に係る植物茎誘引用結束具を示す平面図であるである。
【図２】  本発明の実施形態に係る植物茎誘引用結束具を示す斜視図である。
【図３】  本発明の実施形態に係る植物茎誘引用結束具を構成する挟持片を示す図である。（ａ）平面図、（ｂ）正面図
【図４】  本発明の実施形態に係る植物茎誘引用結束具を示す図である。（ａ）正面図、（ｂ）正面図のＡ−Ａ’断面図
【図５】  本発明の実施形態に係る植物茎誘引用結束具の巻付け部に吊り紐を巻き付ける手順を説明するための図である。
【発明を実施するための形態】
【００１６】  本実施形態に係る植物茎誘引用結束具を、図１から図４を参照し説明する。
本実施形態に係る植物茎誘引用結束具１は、図１に示すように、一端に植物茎を挟持す茎支持部２、他端に操作部３、茎支持部２と操作部３との間に設けられた回動部４、茎支持部２と回動部４との間に設けられ、吊り紐を係止する紐挟持部５を有する一対の挟持片６と、茎支持部２同士を当接させる方向に付勢する金属製のバネ部材７とを備えている。
なお、以下の説明では、一対の挟持片６のうち一方の挟持片を第一挟持片８、他方の挟持片を第二挟持片９とし、図１及び図２を基準として、第一挟持片８（第二挟持片９）の長さ方向を前後方向Ｘ、回動部４が回動する軸の軸方向を高さ方向Ｙ、前後方向Ｘと交差する方向を左右方向Ｚとする。
【００１７】  第一挟持片８は、樹脂製であり、第一挟持片８を構成する茎支持部２、操作部３、回動部４、及び紐挟持部５は一体的に形成されている。第二挟持片９は、第一挟持片８と同じ構造を有し、前後方向Ｘに延びる中心線Ｌを基準に１８０度反転させて、第一挟持片８と対とされている。
【００１８】  茎支持部２は、図２に示すように、半円弧状であり、茎支持部２同士を閉じたときに互いの先端部１０が突き合わされる。また、各茎支持部２の外側部には、バネ部材７の端部を係止する係止穴１１が形成されている。
【００１９】  紐挟持部５は、図３（ａ）に示すように、茎支持部２の先端部１０と反対側の他端部に形成されている。
紐挟持部５同士は互いに対向し、茎支持部２の開閉の動作に合わせて、紐挟持部５同士も開閉する。この紐挟持部５には、図３（ｂ）に示すように、歯部１２が高さ方向Ｙに並列して２つ形成されている。
植物茎誘引用結束具１は、吊り紐が歯部１２に挟持されることで、吊り紐に固定される。
【００２０】  第一挟持片８の紐挟持部５には、おもて面８Ａから高さ方向Ｙの上方に突出する巻付け部２０及びうら面８Ｂから高さ方向Ｙの下方に突出する巻付け部２０がそれぞれ一体的に形成されている。同様に、第二挟持片９の紐挟持部５には、おもて面９Ａから高さ方向Ｙの上方に突出する巻付け部３０及びうら面９Ｂから高さ方向Ｙの下方に突出する巻付け部３０がそれぞれ一体的に形成されている（図２）。これらの巻付け部２０，３０は、前後方向Ｘに伸びる中心線Ｌを軸として線対称となる位置に形成されている（図１）。
また、植物茎誘引用結束具１の茎支持部２の先端部１０同士が当接された状態では、第一挟持片８の巻付け部２０と第二挟持片９の巻付け部２０の一辺同士が接触し、巻付け部２０，３０は互いに隣接する。
【００２１】  巻付け部２０は、第一の挟持片８の紐挟持部５から突出して形成された、略三角形状の紐巻付け部材２１と、この紐巻付け部材２１に連結して形成された略三角形状の係止部材２２とから構成されている。
係止部材２２は、紐巻付け部材２１よりも半径が大きく設計され、巻付け部２０は、紐巻付け部材２１と係止部材２２の対応する辺が同一面上となるように形成されている。そのため、係止部材２２の斜辺部２３と紐挟持部５との間には、巻付け溝２４が形成される。
【００２２】  巻付け部３０は、巻付け部２０と同様な構造を有し、第二挟持片９の紐挟持部５から突出して形成された三角形状の紐巻付け部材３１と、この紐巻付け部材３１に連結して形成された三角形状の係止部材３２とから構成されている（図１）。そして、係止部材３２は、紐巻付け部材３１よりも半径が大きく設計され、巻付け部３０は、紐巻付け部材３１と係止部材３２の対応する辺が同一面上となるように形成され、係止部材３２の斜辺部分３３と紐挟持部５との間には、巻付け溝３４が形成される。
【００２３】  回動部４は、円盤状であり、高さ方向Ｙに２つ形成されている。第一挟持片８の回動部４と第二挟持片９の回動部４とが互いに噛み合わされる。
第一挟持片８の回動部４には、おもて面８Ａから高さ方向Ｙの下方に突出する紐誘導部２５が形成されていている。一方、第二挟持片９の回動部４には、うら面９Ｂから高さ方向Ｙの上方に突出する紐誘導部３５が設けられている。これらの紐誘導部２５，３５は、回動部４と一体的に形成されている。
【００２４】  紐誘導部２５は、回動部４から突出して形成された支柱部材２６と、この支柱部材２６に連結して形成された突起部材２７とから構成されている。突起部材２７は、支柱部材２６よりも大きく設計され、突起部材２７と回動部４との間には、紐誘導溝２８が形成される。
紐誘導部３５は、紐誘導部２５と同様な構造を有し、回動部４から突出して形成された支柱部材３６と、この支柱部材３６に連結して形成された突起部材３７とから構成され、この突起部材３７は、支柱部材３６よりも大きく設計され、突起部材３７と回動部４との間に紐誘導溝３８が形成される。
【００２５】  第一挟持片８の上方の回動部４ａの上面には、第一溝部１４が形成され、下方の回動部４ｂの上面には高さ方向Ｙの上方に向けて、第一突起部１５が形成されている。この第一突起部１５は、円柱状に形成され、開放されている側（第二挟持片９側）に対して下側に傾斜した傾斜部１６が形成されている。そのため、高さ方向Ｙの第一突起部１５の厚みは、開放されている側に向けて薄くなっている。
一方、図４（ａ）に示すように、第二挟持片９の上方の回動部４ｂの下面には高さ方向Ｙの下方に向けて、第二突起部１７が形成され、下方の回動部４ａの下面には第二溝部１８が形成されている。第二突起部１７は、第一突起部１５と同様に円柱状に形成され、第一挟持片８側に対して上方に傾斜した傾斜部１６が形成されている。
【００２６】  操作部３は、回動部４と連結して形成され、操作部３同士が近接する力（内向きの力）が加えられることで、第一挟持片８と第二挟持片９は、茎支持部２の先端部１０同士が開く方向に動作する。
各操作部３には、図４（ｂ）に示すように、長孔１９が形成され、この長孔１９にはバネ部材７が通される。
【００２７】  植物茎誘引用結束具１は、第一挟持片８の回動部４と第二挟持片９の回動部４を噛み合合わせることで組み立てられる。この際、第一突起部１５が第一溝部１４に嵌められ、第二突起部１７が第二溝部１８に嵌められることで、第一挟持片８と第二挟持片９は係止される。また、第一挟持片８の紐挟持部５の凹部に第二挟持片９の紐挟持部５の凸部が嵌まる。そして、長孔２０にバネ部材７を通し、バネ部材７の端部を係止穴１１にそれぞれ係止させ、第一挟持片８及び第二挟持片９にバネ部材７が取り付けられる。
【００２８】  本実施形態に係る植物茎誘引用結束具１の使用方法を、図５を参照して説明する。
植物茎誘引用結束具１は、吊り紐に固定され、吊り下げて使用される。具体的には、植物茎誘引用結束具１を、操作部３が近接するように操作し、茎支持部２の先端部同士、及び紐挟持部５同士を開く。そして、植物の茎に沿って張られた吊り紐を紐挟持部５間に挿し入れ、植物の茎を茎支持部２の内部に挿し入れる。そして、操作部３が離反するように操作し、紐挟持部５によって吊り紐を挟持し、茎支持部２で植物の茎を包囲する。この際、吊り紐は、図５（ａ）に示すように、紐挟持部５（歯部１２）によって、挟み込まれる。
次に、図５（ｂ）及び図５（ｃ）に示すように、紐挟持部５に挟まれた吊り紐よりも上側の吊り紐を、紐巻付け部材３１，２１に当接させ、巻付け溝３４，２４に沿って、巻付け部３０，２０に巻き付ける。そして、図５（ｄ）に示すように、吊り紐を紐誘導溝３８に当接させ、吊り紐を前後方向Ｘの後方側に、誘導する。
【００２９】  次に、本実施形態に係る植物茎誘引用結束具１の作用効果について説明する。
植物の成長に伴い、植物の自重が大きくなり茎支持部２に加わる荷重が大きくなった場合や、茎の直径が茎支持部２の内径よりも大きくなった場合、回動部４や紐挟持部５が開く方向に動作する力が加わる。
本実施形態に係る植物茎誘引用結束具１は、吊り紐が巻付け部２０，３０に巻き付けられているため、回動部４や紐挟持部５が開く方向に動作する力が加わった場合、紐挟持部５が開く方向への動作が規制される。したがって、植物の茎から茎支持部２に紐挟持部５が開く方向に荷重が加わった場合でも、紐挟持部５が開く方向への動作を確実に防止できる。
【００３０】  吊り紐に係止された状態で、茎支持部２に植物から大きな荷重が加わると、植物茎誘引用結束具１は、紐誘導部２５（あるいは、巻付け部２０，３０）を支点として、茎支持部２側が垂れ下がり、植物茎誘引用結束具１には、高さ方向Ｙの下方側への引張り力が加わる。この力は、吊り紐にも加わるため、吊り紐は高さ方向Ｙの下方側へ引っ張られる。吊り紐が下側へ引っ張られると、巻付け部２０，３０及び紐誘導部２５に巻き付けられた吊り紐の締め付けが強くなる。
したがって、植物の茎から紐挟持部５が開く方向に大きな荷重が加わった場合でも、紐挟持部５が開くことを確実に防止できる。
【００３１】  また、本実施形態の植物茎誘引用結束具１において、回動部４に紐誘導部２５が設けられ、吊り紐は、巻付け部２０，３０に巻き付けられた後、紐誘導部２５に当接される。吊り紐が紐誘導部２５に当接されることで、植物茎誘引用結束具１のバランスがとれる。
したがって、植物茎誘引用結束具１を、安定して、吊り紐に吊り下げておくことができる。
【００３２】  本実施形態の植物茎誘引用結束具１は、先端部１０が当接された状態では、巻付け部２０，３０同士が隣接する。そのため、巻付け部２０，３０は一体的となり、吊り紐を巻き付けやすくなる。
また、巻付け部２０，３０には、巻付け溝２４，３４がそれぞれ形成されており、この巻付け溝２４，３４に沿って吊り紐が巻き付けられる。巻付け溝２４，３４が形成されていることで、吊り紐を巻き付けやすいことに加え、巻付け溝２４，３４に巻き付けられて吊り紐は、巻付け溝２４，３４を構成する係止部材２２，３２に係止されるため、吊り紐が巻付け部２０，３０から外れることを防止できる。
【００３３】  植物茎誘引用結束具１は、紐誘導部２５が巻付け部２０，３０よりも操作部３側、かつ左右方向Ｚのほぼ中心である回動部４に形成されているため、茎支持部２に植物からの大きな荷重が加わると、紐誘導部２５を支点として、垂れ下がる。そうすると、植物茎誘引用結束具１は、左右方向Ｚの右方や左方に偏って傾くことなく、吊り紐に吊り下げることができる。
【００３４】  本実施形態の植物茎誘引用結束具１は、第一挟持片８と、この第一挟持片８と同じ構造を有する第二挟持片９を反転させて組み合されることで構成され、植物茎誘引用結束具１の表と裏は、同じ構造を有している。
そうすると、使用者は、植物茎誘引用結束具１の表と裏の区別をすることなく、植物茎誘引用結束具１を吊り紐に取り付けることができ、吊り紐への植物茎誘引用結束具１の取り付けに手間がかからない。
【００３５】  植物茎誘引用結束具は、バネ部材の付勢力によって、茎支持部の先端部や紐挟持部が開く方向への動作が規制される。そのため、従来、付勢力の大きいバネ部材を使用することで、茎支持部の先端部や紐挟持部が開くことを防止していた。付勢力が大きいバネ部材を使用すると、使用者は、操作部に大きな力を加える必要が生じる。さらに、この植物茎誘引用結束具は、多数取り付けられるため、使用者の手に大きな負担がかかっていた。
【００３６】  本実施形態の植物茎誘引用結束具１は、吊り紐が巻付け部２０，３０に巻き付けられ、紐挟持部５が開く方向への動作を確実に防止できる。そのため、従来のバネ部材よりも付勢力が小さいバネ部材７を使用することもできる。
そうすると、使用者は、手に大きな負担をかけずに、植物茎誘引用結束具１を吊り紐に取り付けることができる。
【００３７】  上述の通り、本実施形態に係る植物茎誘引用結束具１を構成する第二挟持片９は、第一挟持片８を反転させたものであり、第一挟持片８と第二挟持片９は同じ構造を有する。
そのため、第一挟持片８及び第二挟持片９は、同じ金型を用いて作製することができる。そうすると、挟持片ごとに金型を作製する必要はなく、第一挟持片８と第二挟持片９の形状が異なるものを製造する場合と比較し、金型を設計する手間や製造コストを低減できる。
【００３８】  以上、本実施形態について説明したが、これ以外にも、本発明の主旨を逸脱しない限り、上記実施の形態で挙げた構成を取捨選択したり、他の構成に適宜変更することが可能である。
例えば、紐誘導部２５，３５を設ける位置は、植物茎誘引用結束具１のバランスがとれる位置であれば、回動部４に限定されない。また、巻付け部２０，３０の形状は、本実施形態に示した例に限定されず、例えば、扇型に形成されていてもよい。
なお、吊り紐は、巻付け部２０，３０に巻き付けた後、紐誘導部２５（３５）に巻き付けることもできる。
【符号の説明】
【００３９】１      植物茎誘誘引用結束具
２      茎支持部
３      操作部
４、４ａ、４ｂ  回動部
５      紐挟持部
６      挟持片
７      バネ部材
８      第一挟持片
８Ａ    おもて面
８Ｂ    うら面
９      第二挟持片
９Ａ    おもて面
９Ｂ    うら面
１１    係止穴
１２    歯部
１４    第一溝部
１５    第一突起部
１６    傾斜部
１７    第二突起部
１８    第二溝部
１９    長孔
２０，３０  巻付け部
２１，３１  紐巻付け部材
２２，３２  係止部材
２３，３３  斜辺部
２４，３４  巻付け溝
２５，３５  紐誘導部
２６，３６  支柱部材
２７，３７  突起部材
２８，３８  紐誘導溝
Ｌ      中心線
Ｘ      前後方向（長さ方向）
Ｙ      高さ方向（軸方向）
Ｚ      左右方向（幅方向）
【図１】
2019041744.tif 000003
【図２】
2019041744.tif 000004
【図３】
2019041744.tif 000005
【図４】
2019041744.tif 000006
【図５】
2019041744.tif 000007